(57)【要約】【課題】  把持して使用する携帯電話等の携帯機器への組み込みが容易な携帯機器組み込み用のデータ通信装置の構造を提供する。【解決手段】  データ通信装置１に、携帯機器の使用者が触れる第１電極１０と、他者が触れる第２電極２０と、携帯機器とデータの送受信を行うインタフェース部３０と、変調部４０と、第１電極１０と第２電極２０との間に電圧を印加する電圧印加部５０と、第１電極１０と第２電極２０との間の電圧を検出する電圧検出部６０と、電圧検出部６０で検出した電圧信号を復調する復調部７０と、各部を制御する制御部８０とを備えた。【選択図】  図１
2005341312.tif 000002
【特許請求の範囲】
【請求項１】
携帯機器の使用者が触れる第１電極と、前記携帯機器の使用者以外の他者が触れる第２電極と、前記携帯機器の制御手段とデータの送受信を行うためのインタフェース部と、前記携帯機器の制御手段から受信したデータに基づく変調信号を生成する変調部と、前記変調信号に対応する電圧を前記第１電極と前記第２電極との間に印加する電圧印加部と、前記第１電極と前記第２電極との間の電圧を検出する電圧検出部と、前記電圧検出部で検出した電圧信号を復調して前記携帯機器の制御手段に送信する復調部と、各部を制御する制御部とを有する携帯機器組み込み用のデータ通信装置。
【請求項２】
前記電圧検出部の入力回路が差動入力回路であることを特徴とする請求項1記載のデータ通信装置。
【請求項３】
前記携帯機器は、本体側筐体とその本体側筐体に対して一方の端部を回動中心として回動自在に取りつけられ表示部を有する表示側筐体とを備えた折畳み式の携帯機器であって、前記第１電極が、前記本体側筐体の側面に設けられており、前記第２電極が、前記表示側筐体の他方の端部に設けられていることを特徴とする請求項１記載のデータ通信装置。
【請求項４】
本体側筐体とその本体側筐体に対して回動自在に取りつけられ表示部を有する表示側筐体とを備えた折畳み式の携帯機器であって、前記第１電極が、前記本体側筐体の側面に設けられており、前記第２の電極が、前記表示側筐体の表示部上に設けられた透明電極であることを特徴とする請求項１記載のデータ通信装置。
【請求項５】
前記第１電極が前記本体側筐体から突出していることを特徴とする請求項３または請求項４記載のデータ通信装置。
【請求項６】
本体側筐体とその本体側筐体に対して一方の端部を回動中心として回動自在に取りつけられ表示部を有する表示側筐体とを備えた折畳み式の携帯機器であって、前記第１電極が、前記本体側筐体の側部内側に設けられており、前記第２電極が、前記表示側筐体の他方の端部内側に設けられていることを特徴とする請求項１記載のデータ通信装置。
【請求項７】
本体側筐体とその本体側筐体に対して回動自在に取りつけられ表示画面を有する表示側筐体とを備えた折畳み式の携帯機器であって、前記第１電極が、前記本体側筐体の側面に設けられており、前記第２電極が、前記表示側筐体の前記表示部内側に設けられた透明電極であることを特徴とする請求項１記載のデータ通信装置。
【請求項８】
第1の携帯機器がデータの送信側となり、第２の携帯機器がデータの受信側となる場合であって、前記第1の携帯機器のデータ通信装置は、ある周期で応答要求信号の送信と、その応答要求信号に対する応答信号の受信を繰り返し、前記第1の携帯機器の使用者が前記第２の携帯機器の前記第２電極に触れるとともに、前記第２の携帯機器の使用者が前記第１の携帯機器の前記第２電極に触れ、前記第２の携帯機器のデータ通信装置の応答信号を受信するとデータを送信することを特徴とする請求項１記載のデータ通信装置を用いた通信システム。
【請求項９】
第1の携帯機器がデータの送信側となり、第２の携帯機器がデータの受信側となる場合であって、前記第1の携帯機器のデータ通信装置は受信状態となり、前記第1の携帯機器の使用者が前記第２の携帯機器の前記第２電極に触れるとともに、前記第２の携帯機器の使用者が前記第１の携帯機器の前記第２電極に触れ、前記第２の携帯機器が出力する応答要求信号を受信すると、その応答要求信号に対応する応答信号を送信した後、データを送信することを特徴とする請求項１記載のデータ通信装置を用いた通信システム。
【請求項１０】
第1の携帯機器がデータの送信側となり、第２の携帯機器がデータの受信側となる場合であって、前記第２の携帯機器のデータ通信装置はある周期で応答要求信号の送信と、その応答要求信号に対する応答信号の受信を繰り返し、前記第1の携帯機器の使用者が前記第２の携帯機器の前記第２電極に触れるとともに、前記第２の携帯機器の使用者が前記第１の携帯機器の前記第２電極に触れ、前記第１の携帯機器が出力する応答信号を受信すると、データを受信することを特徴とする請求項１記載のデータ通信装置を用いた通信システム。
【請求項１１】
第1の携帯機器と第２の携帯機器の双方がデータを送信する場合であって、前記第1の携帯機器及び前記第２の携帯機器は、応答要求信号の送信とその応答要求信号に対する応答信号の受信を行う際の送受信パターンを複数有し、それぞれの前記データ通信装置は乱数によっていずれかの送受信パターンを選択し、前記第1の携帯機器の使用者が前記第２の携帯機器の前記第２電極に触れるとともに、前記第２の携帯機器の使用者が前記第１の携帯機器の前記第２電極に触れ、前記第1の携帯機器のデータ通信装置は、応答信号を受信するとデータを送信した後、第２の携帯機器からデータを受信することを特徴とする請求項１記載のデータ通信装置を用いた通信システム。
【請求項１２】
前記データ通信装置は、データを送信する場合、データを所定長さのパケットに分けて送信し、1つのパケットを送信し終わるごとに、パケットを受信した旨の応答信号を待ち、所定時間の間に応答信号を受信しない場合、所定の周期でパケットの送信と、応答信号の受信を繰り返し、応答信号を受信した後に、次のデータを送信することを特徴とする請求項１記載のデータ通信装置を用いた通信システム。
【発明の詳細な説明】
【技術分野】
【０００１】
本発明は、携帯機器に組み込まれ人体を伝送路の一部とするデータ通信装置に関するものである。
【背景技術】
【０００２】
携帯電話や携帯ゲーム機器等の携帯機器に保存されている情報を、他の携帯機器に送信したり、それぞれの携帯機器に保存されている情報を交換したりする場合、それらの携帯機器間をケーブルで接続して通信を行う方法や、電波や赤外線等を用いた無線通信手段を用いていた。しかしながら、ケーブルを用いる方法は、ケーブルを接続する作業が面倒である上、ケーブルを持ち歩く必要もあり非常に不便である。一方、無線通信手段を用いる方法は、面倒な手間なくデータ通信を行うことができるが、傍受されてデータが漏れる危険性や混信する可能性がありセキュリティ面で不安がある。また、携帯機器が、携帯電話である場合には、携帯電話の通信網を用いてデータを送信することも可能ではあるが、通信費用が発生してしまうという欠点があった。
【０００３】
以上のような問題は、携帯機器が、導体である人体を伝送路の一部とするデータ通信装置を備えていれば解決することができる。人体を伝送路とする従来のデータ通信装置としては、特許文献１には、人体に装着している装置と据え置き型機器間でデータ送信を行うデータ通信装置が記載され、特許文献２には、体に装着している装置間で通信を行うデータ通信装置が記載されている。また、特許文献３には、体に装着している装置と携帯機器間で通信を行うデータ通信装置が記載されている。
【特許文献１】特開２００２-００９７１０
【特許文献２】特開２００２-２４６９８７
【特許文献３】特開２００１-３０８８０３
【発明の開示】
【発明が解決しようとする課題】
【０００４】
しかし、人体に装着して用いる装置は、ベルト等によって人体に固定し電極を人体の想定された箇所に当接させておく構造となっており、使用するときにのみ取り出し把持して使用する携帯機器（携帯電話、携帯情報端末（PDA）、携帯ゲーム機等）には不向きな構造であった。
【０００５】
本発明は、上記の点に鑑みてなしたものであり、その目的とするところは、把持して使用する携帯電話等の携帯機器への組み込みが容易な携帯機器組み込み用のデータ通信装置の構造を提供することにある。
【課題を解決するための手段】
【０００６】
上述の課題を解決するために、請求項１記載の発明では、携帯機器の使用者が触れる第１電極と、前記携帯機器の使用者以外の他者が触れる第２電極と、前記携帯機器の制御手段とデータの送受信を行うためのインタフェース部と、前記携帯機器の制御手段から受信したデータに基づく変調信号を生成する変調部と、前記変調信号に対応する電圧を前記第１電極と前記第２電極との間に印加する電圧印加部と、前記第１電極と前記第２電極との間の電圧を検出する電圧検出部と、前記電圧検出部で検出した電圧信号を復調して前記携帯機器の制御手段に送信する復調部と、各部を制御する制御部とを有するデータ通信装置とした。
【０００７】
請求項２記載の発明では、請求項１記載のデータ通信装置において、電圧検出部の入力回路を差動入力回路で構成した。
【０００８】
請求項３記載の発明では、本体側筐体とその本体側筐体に対して一方の端部を回動中心として回動自在に取りつけられ表示部を有する表示側筐体とを備えた折畳み式の携帯機器において、請求項１記載のデータ通信装置の第１電極を本体側筐体の側面に設け、第２電極を、表示側筐体の他方の端部に設けた。
【０００９】
請求項4記載の発明では、本体側筐体とその本体側筐体に対して回動自在に取りつけられ表示部を有する表示側筐体とを備えた折畳み式の携帯機器において、請求項１記載のデータ通信装置の第１電極を、本体側筐体の側面に設け、第２の電極を、前記表示側筐体の表示部上に設けられた透明電極で構成した。
【００１０】
請求項５記載の発明では、請求項３または請求項４記載のデータ通信装置の第１電極を本体側筐体から突出するように構成した。
【００１１】
請求項６記載の発明では、本体側筐体とその本体側筐体に対して一方の端部を回動中心として回動自在に取りつけられ表示部を有する表示側筐体とを備えた折畳み式の携帯機器において、請求項１記載のデータ通信装置の第１電極を本体側筐体の側部内側に設け、第２電極を、表示側筐体の他方の端部内側に設けた。
【００１２】
請求項７記載の発明では、本体側筐体とその本体側筐体に対して回動自在に取りつけられ表示画面を有する表示側筐体とを備えた折畳み式の携帯機器において、請求項１記載のデータ通信装置の第１電極を本体側筐体の側面に設け、第２電極を、表示側筐体の表示部内側に設けた透明電極で構成した。
【００１３】
請求項8記載の通信システムは、請求項１記載のデータ通信装置を内蔵する携帯機器間でデータ通信を行う通信システムであり、第1の携帯機器がデータの送信側となり、第２の携帯機器がデータの受信側となる場合、第1の携帯機器のデータ通信装置は、ある周期で応答要求信号の送信と、その応答要求信号に対する応答信号の受信を繰り返し、第1の携帯機器の使用者が第２の携帯機器の第２電極に触れるとともに、第２の携帯機器の使用者が第１の携帯機器の第２電極に触れ、第２の携帯機器のデータ通信装置の応答信号を受信するとデータを送信することを特徴とするものである。
【００１４】
請求項９記載の通信システムは、請求項１記載のデータ通信装置を内蔵する携帯機器間でデータ通信を行う通信システムであり、第1の携帯機器がデータの送信側となり、第２の携帯機器がデータの受信側となる場合、第1の携帯機器のデータ通信装置は受信状態となり、第1の携帯機器の使用者が第２の携帯機器の第２電極に触れるとともに、第２の携帯機器の使用者が第１の携帯機器の第２電極に触れ、第２の携帯機器が出力する応答要求信号を受信すると、その応答要求信号に対応する応答信号を送信した後、データを送信することを特徴とするものである。
【００１５】
請求項１０記載の通信システムは、請求項１記載のデータ通信装置を内蔵する携帯機器間でデータ通信を行う通信システムであり、第1の携帯機器がデータの送信側となり、第２の携帯機器がデータの受信側となる場合、第２の携帯機器のデータ通信装置はある周期で応答要求信号の送信と、その応答要求信号に対する応答信号の受信を繰り返し、第1の携帯機器の使用者が第２の携帯機器の第２電極に触れるとともに、第２の携帯機器の使用者が第１の携帯機器の第２電極に触れ、第１の携帯機器が出力する応答信号を受信すると、データを受信することを特徴とするものである。
【００１６】
請求項１１記載の通信システムは、請求項１記載のデータ通信装置を内蔵する携帯機器間でデータ通信を行う通信システムであり、第1の携帯機器と第２の携帯機器の双方がデータを送信する場合、第1の携帯機器及び第２の携帯機器は、応答要求信号の送信とその応答要求信号に対する応答信号の受信を行う際の送受信パターンを複数有し、それぞれのデータ通信装置は乱数によっていずれかの送受信パターンを選択し、第1の携帯機器の使用者が第２の携帯機器の第２電極に触れるとともに、第２の携帯機器の使用者が第１の携帯機器の第２電極に触れ、第1の携帯機器のデータ通信装置は、応答信号を受信するとデータを送信した後、第２の携帯機器からデータを受信することを特徴とするものである。
【００１７】
請求項１２記載の通信システムは、請求項１記載のデータ通信装置を内蔵する携帯機器間でデータ通信を行う通信システムであり、データ通信装置は、データを送信する場合、データを所定長さのパケットに分けて送信し、1つのパケットを送信し終わるごとに、パケットを受信した旨の応答信号を待ち、所定時間の間に応答信号を受信しない場合、所定の周期でパケットの送信と、応答信号の受信を繰り返し、応答信号を受信した後に、次のデータを送信することを特徴とするものである。
【発明の効果】
【００１８】
請求項１記載のデータ通信装置によれば、人体を伝送路の一部とし携帯機器間で容易にデータ伝送が可能となる。
【００１９】
請求項２記載のデータ通信装置によれば、請求項１記載のデータ通信装置において、電圧検出部の入力回路を差動入力回路で構成したので耐ノイズ性能が向上する。
【００２０】
請求項３記載のデータ通信装置によれば、請求項１記載のデータ通信装置において、使用者及び通信相手が第1電極及び第2電極に触れやすくなり使いやすくなるという効果を奏する。
【００２１】
請求項４記載のデータ通信装置によれば、操作が直感的で分かりやすくなるという効果を奏する。
【００２２】
請求項５記載のデータ通信装置によれば、第1電極への接触が確実となるとともに、把持しやすく使い勝手が向上するという効果を奏する。
【００２３】
請求項６または請求項７記載のデータ通信装置によれば、携帯電話等の携帯機器への組み込みが用意となり、携帯機器の設計・製造が容易となるという効果を奏する。
【００２４】
請求項８乃至請求項１１記載の通信システムによれば、データを確実に送信することができデータの喪失を防止することができる。
【００２５】
請求項１２記載の通信システムによれば、双方向のデータ通信を実現することができる。
【発明を実施するための最良の形態】
【００２６】
（実施形態１）
以下、図1乃至図８に基づいて本発明の一実施形態を説明する。本実施例は、本体側筐体とその本体側筐体に対して一方の端部を回動中心として回動自在に構成され表示部（表示画面）を有する表示側筐体とを備えた折畳み式の携帯機器（携帯電話Ａ）に本発明のデータ通信装置を組み込んだ例である。図1はデータ通信装置のブロック図、図２は折畳み式の携帯電話Ａの筐体に設けた電極の構成を示す説明図、図３は、携帯機器（携帯電話Ａ）と携帯機器（携帯電話Ｂ）間で人体を介して通信を行う場合の通信経路を示す説明図である。
【００２７】
データ通信装置1は、携帯電話Ａの本体側筐体Ａ１の両側面に露出する第１電極１０と、表示側筐体Ａ２の、本体側筐体Ａ１につながる側とは反対側の端部（回動中心が設けられている側とは反対側の端部、先端部）に露出する第２電極２０と、携帯電話Ａの制御手段（図示省略）とデータの送受信を行うインタフェース部３０と、携帯電話Ａの制御手段から受信したデータに基づき変調信号を生成する変調部４０と、その変調信号に対応する電圧を、第１電極１０と第２電極２０との間に印加する電圧印加部５０と、第１電極１０と第２電極２０との間の電圧を検出する電圧検出部６０と、その電圧検出部６０で検出した電圧信号を復調して携帯電話Ａの制御手段（ＣＰＵ等）に送信する復調部７０と、各部を制御する制御部８０とを備えている。
【００２８】
第１電極１０は、携帯電話Ａの使用者が、携帯電話Ａの本体側筐体Ａ１を把持することによって自然に触れることができるように、本体側筐体Ａ１の両側面に露出するように設けられている。ただし、本体側筐体Ａ１の片側の側面に設けてもよい。また、第１電極１０を本体側筐体Ａ１から突出するように構成することによって、第１電極１０が使用者の手に確実に触れ、把持しやすくなり使い勝手が良くなる。
【００２９】
第２電極２０は、携帯電話Ｂの使用者が触れやすいように、表示側筐体Ａ２の先端部（最上部）に設けられている。折畳み式の携帯電話の場合、表示画面を備えた表示側筐体Ａ２が、本体側筐体Ａ１から離れているので、携帯電話Ｂの使用者は、携帯電話Ａの使用者の手が邪魔にならずに第２電極２０に触れることができる。なお、第１電極１０及び第２電極１０は導電性を備えている材料であれば特に材質は限定されない。
【００３０】
インタフェース部３０は、携帯電話ＡのＣＰＵ等の制御手段（図示省略）と接続され、データの送受信を行うための構成であり、制御部８０は、インタフェース部３０を介して受信した携帯電話Ａの制御手段からの命令に基づき、後述する要領で、データの送信あるいは受信を行うように構成されている。すなわち、携帯電話Ａの制御手段から、送信コマンドおよび送信データを制御部８０が受けると、制御部８０は、まず、変調部４０および電圧印加部５０に電力を供給しそれらの回路を動作状態とする。そして、送信データを変調部４０により変調し、変調部４０から出力される変調信号に基づく電圧を、電圧印加部５０により第１電極１０と第２電極２０との間に印加することによって送信が行われる。送信が完了すると、制御部８０は、変調部４０および電圧印加部５０への電力の供給を停止する。
【００３１】
また、制御部８０は、携帯電話Ａの制御手段から受信コマンドを受けると、電圧検出部６０および復調部７０に電力を供給して動作状態とし、復調部７０が出力する受信データの受信待ちの状態となる。そして、携帯電話Ｂから送信されてきた変調信号を、第１電極１０と第２電極２０との間に発生する電圧として電圧検出部６０により検出すると、それを復調部７０で復調する。制御部８０では、復調部７０から受けるデータのフォーマットやデータ長をチェックし、正しいデータであると判断した場合、その受信データを携帯電話Ａの制御手段に送り、電圧検出部６０および復調部７０を停止させる。
【００３２】
携帯電話Ａと携帯電話Ｂとの間でデータの伝送を行うには、図３に示すように、携帯電話Ａの使用者が、一方の手で携帯電話Ａの本体側筐体Ａ１を把持して第１電極１０に触れ、他方の手で携帯電話Ｂの表示側筐体Ｂ２の最上部に設けられた第２電極２０に触れると共に、携帯電話Ｂの使用者が、一方の手で携帯電話Ｂの本体側筐体Ｂ１を把持して第１電極１０に触れ、他方の手で携帯電話Ａの表示側筐体Ａ２の最上部に設けられた第２電極２０に触れるようにすればよい。このようにすることによって携帯電話Ａと携帯電話Ｂとの間で通信が可能となるが図４の等価回路に基づいてその原理を説明する。
【００３３】
図４に示す回路は、信号源Ｃから出力される信号を、検出器Ｄで検出する場合の回路構成を示した回路図であり信号源Ｃと検出器Ｄは、ケーブルＥ１、Ｅ２で接続されている。本発明のデータ通信装置を組み込んだ携帯電話Ａと携帯電話Ｂとの間で通信を行う場合も、図３に示す状態にある場合、図4に示す回路と等価な状態となっている。すなわち、図5に示されるように、携帯電話Ａの使用者の人体および携帯電話Ｂの使用者の人体が、それぞれ、図4におけるケーブルＥ１、Ｅ２の役割を果たすことになる。ただし、通常の導体線と異なり、人体は低周波信号に対するインピーダンスが高いので、信号のキャリア周波数は、３００ｋＨｚ以上とするのが望ましい。また、図３に示す状態においては、通信を阻害するノイズは、コモンモードノイズが支配的であるため、電圧検出部６０の入力回路を差動入力回路とすることで耐ノイズ性が大幅に向上する。
【００３４】
次に、一方の携帯電話Ａが保持するデータを、他方の携帯電話Ｂに送信する場合について、本発明のデータ通信装置を用いた通信システムの通信方法を詳細に説明する。携帯電話Ａの使用者は、携帯電話Ａを操作して、送信したいデータを選択した上で、送信コマンドを送って内蔵するデータ通信装置１を送信状態にする。一方、携帯電話Ｂの使用者は、携帯電話Ｂを操作して、内蔵するデータ通信装置１を受信状態にする。この状態では、各使用者は、まだ、相手の携帯電話の第２電極に触れていないため、この段階で、携帯電話Ａが送信データを送信しても、携帯機器Ｂは、そのデータを受信できない。そこで、携帯電話Ａは、図３に示す通信経路が形成されたことを検知して送信データを送信する必要がある。そのための通信方法として図6に示す手順で通信を行う。図６は携帯電話Ａと携帯電話Ｂとの信号のやり取りの手順を説明するための説明図である。
【００３５】
図６で、携帯電話Ａのデータ通信装置１は、送信状態になると、応答要求信号をある一定時間送信した後、ある一定時間、その応答要求信号に対する応答信号を受信するための状態になるという動作を繰り返すように構成されている。図３に示す通信経路が形成されていない状態（未接触状態）では、携帯電話Ｂからの応答信号を受信することはないが、図３に示す通信経路が形成されると（接触状態となると）、携帯電話Ｂのデータ通信装置１は、携帯電話Ａからの応答要求信号を受信することが可能となり、それに対する応答信号を送信することができるようになる。そして、携帯電話Ａのデータ通信装置１は、携帯電話Ｂからの応答信号を受信して（コネクションを確立して）初めて、送信したいデータの送信を開始するように構成されている。ただし、ある一定時間経過しても、携帯電話Ｂからの応答信号を受信できない場合は、制御部９０は、携帯電話Ａの制御手段に、通信不能である旨の信号を送る。これら一連の制御動作は制御部９０により行われ、各携帯電話の制御手段は、それぞれ内蔵するデータ通信装置１に送信コマンドまたは受信コマンドを送るだけでよい。
【００３６】
さて、一旦、図３に示す通信経路が形成された後に、瞬間的に使用者の手が第２電極２０から離れることも十分想定されるが、手が離れている間のデータが失われないようにするためには、図７に示す手順に基づいて通信を行えばよい。図7に示す通信方法は、送信したいデータをある長さのパケットに分けて送信する方法である。
【００３７】
図7で、携帯電話Ａのデータ通信装置１は、送信したいデータをある長さのパケット（パケット１乃至パケット３）に分けて送信し、1つのパケットを送信し終わるごとに、携帯電話Ｂから、パケットの受信が成功した旨の応答信号（受信成功通知）を待ち、応答信号を受信した場合は、次のパケットを送信するように構成されている。このとき、パケットの長さは、携帯電話Ａの制御手段からの命令によって任意に変更可能である。パケットを送信してから一定時間の間に応答信号を受信できない場合は、図6に示した処理と同様の処理を行い、接触状態となったことを確認して、コネクションが再確立された後に送信したいデータの送信を再開するように構成されている。コネクションが再確立されない場合、制御部９０は、携帯電話Ａの制御手段に通信不能である旨を通知する。これら一連の制御動作はすべて制御部９０により行われる。
【００３８】
次に、携帯電話Ａと携帯電話Ｂがそれぞれ保持するデータを、互いに相手側の携帯電話に送信する場合について説明する。携帯電話Ａの使用者は、携帯電話Ａを操作して、送信したいデータを選択した上で、内蔵するデータ通信装置１を通信状態とする。同様に、携帯電話Ｂの使用者も、携帯電話Ｂを操作して、送信したいデータを選択した上で、内蔵するデータ通信装置１を通信状態とする。このとき、携帯電話Ａのデータ通信装置１と携帯電話Ｂのデータ通信装置１が、同一の送受信パターンでコネクションの確立を検知しようとすると、図8に示すように、互いの送信信号同士がぶつかるタイミングで通信を開始した場合にコネクションの確立を検知できないこととなる。
【００３９】
そこで、図9に示されるような応答信号の受信区間の長さが異なる３種類の送受信パターンα、β、γを備えるように構成しておき、いずれかの送受信パターンを選択できるように構成しておく。携帯電話Ａ，Ｂは、それぞれ通信状態になった場合、乱数を用いて送受信パターンα、β、γのいずれかを選択して送受信を行い、終了すると、再度乱数を用いて送受信パターンを選択するように構成する。このように構成することによって、図１0に示すように、携帯電話Ａと携帯電話Ｂで、送受信のタイミングをずらすことが可能となり、コネクションの確立の検知が可能となる。図１0に示す例では、携帯電話Ｂより送信された応答要求信号（送受信パターンγの応答要求信号）を、携帯電話Ａが受信し応答信号を返信している。ある一定時間経過しても、相手側の携帯電話からの応答信号を受信できない場合、制御部９０はそれぞれの携帯電話の制御手段に通信不能である旨の信号を送る。
【００４０】
図１0に示す通信方法では、データの送信は、応答信号を受信した携帯電話（図１0に示す例では携帯電話Ｂ）より行われる。携帯電話Ｂは、送信したいデータの送信を終了すると、データの送信が終了したことを示すデータを携帯電話Ａに送信し、携帯電話Ａが送信したいデータを送信し始める。すなわち、一旦、コネクションが確立された後の処理は、図7に示した通信方法（片方向でデータを送信する場合の通信方法）と同様に行われる。これら一連の制御動作は、制御部９０により行われるので、各携帯電話の制御手段は、それぞれの制御部９０に、データ通信装置１を通信状態にするコマンドを与えるだけで良い。
【００４１】
（実施形態２）
図１1は、本発明の別の実施の形態を示す説明図で、第２電極２０を、ＩＴＯ等の透明電極で構成し、表示部側筐体Ａ２の表示部（表示画面）上に配置したものである。第２電極２０は、通信相手側の使用者が触れる部分であるが、表示部（表示画面）に通信相手が受信したいデータが表示されているとき、その表示箇所に触れて通信が開始されると、通信相手は、あたかも指で表示データを吸い取っているような感覚となり、直感的で操作に違和感がなくなるという効果がある。
【００４２】
（実施形態３）
図１2は、本発明のさらに別の実施の形態を示す説明図で、第１電極１０は、本体側筐体Ａ１の側部内側に設けられ、第２電極２０は、表示側筐体Ａ２の先端部の内側に設けられている。第１電極１０及び第２電極２０を携帯電話の筐体内部に設けると、使用者は、直接第１電極１０及び第２電極２０に触ることができないが、通信のキャリア周波数として、３００ｋＨｚ以上の周波数を用いているため、使用者が、第１電極１０または第２電極２０が配置された箇所の筐体の外側にそれぞれ触れた場合、第１電極１０と使用者の人体間、または第２電極２０と使用者の人体間の容量成分を介してデータを伝送することができる。このように、第１電極１０及び第２電極２０を、携帯電話の筐体内部に設けることにより、データ通信装置１を携帯電話に組み込む際の携帯電話の設計・製造が容易になるという効果がある。このように第２電極２０を携帯機器の内部に設けることができるので、図１１に示した実施形態においても、第２電極である透明電極を表示部の内側に設けるように構成してもよい。
【００４３】
なお、実施形態では、本発明のデータ通信装置を組み込む携帯機器は携帯電話であるとして説明したが、携帯型ゲーム機や携帯情報端末（PDA）等、他の携帯機器にも組み込めることは言うまでもない。
【図面の簡単な説明】
【００４４】
【図１】本発明のデータ通信装置のブロック図である。
【図２】折り畳み式の携帯電話の筐体に設けた電極の構成を示す説明図である。
【図３】携帯機器間で人体を介して通信を行う場合の通信経路を示す説明である。
【図４】携帯機器間で人体を介して通信を行う場合の等価回路である。
【図５】携帯機器間で人体を介して通信を行う場合の通信経路を示す模式図である。
【図６】携帯機器間の信号のやり取りを説明するための説明図である。
【図７】携帯機器間の信号のやり取りを説明するための説明図である。
【図８】携帯機器間で互いの送信信号同士がぶつかるタイミングで通信を開始した場合にコネクションの確立を検知できないことを説明する説明図である。
【図９】応答信号の受信区間の長さが異なる３種類の送受信パターンα、β、γを示す説明図である。
【図１０】３種類の送受信パターンα、β、γを用いた場合のコネクションの確立手順を示す説明図である。
【図１１】折り畳み式の携帯電話の筐体に設けた電極の別の構成を示す説明図である。
【図１２】折り畳み式の携帯電話の筐体に設けた電極のさらに別の構成を示す説明図である。
【符号の説明】
【００４５】
１    データ通信装置
Ａ１    本体側筐体
Ａ２    表示側筐体
１０    第１電極
２０    第２電極
３０    インタフェース部
４０    変調部
５０    電圧印加部
６０    電圧検出部
７０    復調部
８０    制御部
【図１】
2005341312.tif 000003
【図２】
2005341312.tif 000004
【図３】
2005341312.tif 000005
【図４】
2005341312.tif 000006
【図５】
2005341312.tif 000007
【図６】
2005341312.tif 000008
【図７】
2005341312.tif 000009
【図８】
2005341312.tif 000010
【図９】
2005341312.tif 000011
【図１０】
2005341312.tif 000012
【図１１】
2005341312.tif 000013
【図１２】
2005341312.tif 000014